(57)【要約】逆方向リンク信号のピーク対平均パワー比を減少する方法およびシステムが開示される。ベースバンド構造はピークウィンドウ化を使用してピーク減少技術を実行する。非長方形ウィンドウが信号を歪ませるために使用される。ウィンドウの１実施形態は、所望のピーク対平均パワー比の二乗された大きさに関するエンベロープの二乗された大きさの相対差の関数のピーク減少による反転される上昇余弦である。多数回のピーク減少関数の通過は所望のターゲットピーク対平均パワー比が実現されるまで実行される。【選択図】図８
2004527978.tif 000002
【特許請求の範囲】
【請求項１】
減少関数をピークへ連続的に適用し、ピークがターゲットしきい値以下に減少されるとき減少関数の適用を終了することによってターゲットのしきい値を超える信号のピークに応答して、減少されたピーク対平均信号を生成するように構成されているピーク対平均の減少モジュールと、
減少されたピーク対平均信号を増幅するように構成されているパワー増幅器とを具備している装置。
【請求項２】
減少関数が所定の回数適用されたとき、減少関数の適用が終了される請求項１記載の装置。
【請求項３】
装置は加入者装置である請求項１記載の装置。
【請求項４】
信号はＣＤＭＡ信号である請求項１記載の装置。
【請求項５】
減少関数は反転された三角関数である請求項１記載の装置。
【請求項６】
反転された三角関数は反転された上昇余弦関数である請求項５記載の装置。
【請求項７】
反転された上昇余弦は、１−ａ（ｃｏｓ2ｘ）であり、
ここでａ＝（（Ｅcurrent max−Ｅav）／Ｅcurrent max）であり、
Ｅavは現在の期間の平均パワーであり、Ｅcurrent maxは現在のウィンドウに対する信号エンベロープの最大値である請求項６記載の装置。
【請求項８】
期間は半スロットである請求項７記載の装置。
【請求項９】
ピークがターゲットしきい値以下に減少されるまで減少関数をピークへ適用することによりターゲットのしきい値を超える信号中のピークに応答して、減少されたピーク対平均信号を生成する手段と、
減少されたピーク対平均信号を増幅し、増幅された信号を発生する手段とを具備している装置。
【請求項１０】
チャンネルデータを与えるように構成された逆方向リンク変調器と、
前記逆方向リンク変調器に結合され、逆方向リンクチャンネル利得を計算するように構成されているチャンネル利得計算モジュールと、
前記チャンネル利得計算モジュールに結合され、逆方向リンクのチャンネルの平均パワーを計算するように構成されている平均化モジュールと、
前記平均化モジュールに結合され、信号のターゲットピーク対平均比および前記平均パワーを使用してエンベロープしきい値を生成するように構成されているしきい値モジュールと、
前記しきい値モジュールに結合され、ウィンドウを信号ピークと整列し、濾波されたサンプルで乗算するために使用されるウィンドウ加重を生成するように構成されたウィンドウ加重モジュールと、
前記逆方向リンク変調器に結合され、濾波されたサンプルを生成するためにチャンネルデータのｎ−チップ（ここでｎは整数）サンプルを濾波するように構成されているフィルタと、
前記フィルタに結合され、減少されたピーク対平均パワー比を有する変更されたサンプルを生成するためにウィンドウ加重モジュールからのウィンドウ加重を使用して、整列されたピークウィンドウと濾波されたサンプルとを乗算するように構成されている乗算モジュールとを具備している装置。
【請求項１１】
信号処理方法において、
信号のピークをターゲットしきい値と比較し、
ピークがターゲットしきい値を超えているならば、減少されたピーク対平均信号を生成するために、減少関数を連続的にピークに適用し、
ピークがターゲットしきい値以下になるとき減少関数の適用を終了するステップを含んでいる方法。
【請求項１２】
さらに、減少関数が一度所定の回数適用されると、減少関数の適用を終了するステップを含んでいる請求項１１記載の方法。
【請求項１３】
さらに、増幅された信号を発生するため減少されたピーク対平均信号を増幅するステップを含んでいる請求項１１記載の方法。
【請求項１４】
信号はＣＤＭＡ信号である請求項１１記載の方法。
【請求項１５】
方法は加入者装置により行われる請求項１１記載の方法。
【請求項１６】
減少関数は反転された三角関数である請求項１１記載の方法。
【請求項１７】
さらに、増幅された信号を送信するステップを含んでいる請求項１３記載の方法。
【請求項１８】
反転された三角関数は反転された上昇余弦関数である請求項１６記載の方法。
【請求項１９】
反転された上昇余弦は、１−ａ（ｃｏｓ2ｘ）であり、
ここでａ＝（（Ｅcurrent max−Ｅav）／Ｅcurrent max）であり、
Ｅavは信号の平均パワーであり、Ｅcurrent maxは利得ウィンドウサイズにわたる信号のエンベロープの最大値である請求項１８記載の方法。
【請求項２０】
逆方向リンクの信号の利得値を計算し、
逆方向リンクのチャンネルの平均パワーレベルを計算し、
信号のターゲットピーク対平均比と平均パワーレベルを使用してエンベロープしきい値を生成し、
ウィンドウを信号のピークと整列し、
信号の濾波されたサンプルと乗算するためのウィンドウ加重を発生し、
濾波されたサンプルを生成するためにチャンネルデータのｎ−チップ（ここでｎは整数）サンプルを濾波し、
減少されたピーク対平均パワー比を有する変更されたサンプルを生成するためにウィンドウ加重を使用して、濾波されたサンプルと整列されたピークウィンドウとを乗算するステップを含んでいる方法。
【発明の詳細な説明】
【技術分野】
【０００１】
本発明は電気通信に関し、特に逆方向リンク信号のピーク対平均パワー比を減少する優秀で改良された方法および装置に関する。
【背景技術】
【０００２】
独立して変調されたチャンネルからなる通信システムは高いピーク対平均パワー比を生じる。ｃｄｍａ２０００（１×）およびｃｄｍａ２０００（１×−ＥＶ）システムの逆方向リンクチャンネルは独立して変調されたチャンネルの例である。逆方向リンク信号は加入者装置から無線通信システムのインフラストラクチャエレメントへ送信される信号である。高いピーク対平均パワー比は結果として加入者装置のＲＦパワー増幅器（以後パワー増幅器）の効率を減少させる。例えば、高いピーク対平均振幅波形は加入者装置の送信機のパワー増幅器を非常に大きいパワーを要求し、加入者装置が動作できる最大のデータレートまたは最大の範囲を減少させる可能性がある。これは幾つかの要因によるものであり、そのうち最も重要なのは定義により高いピーク対平均パワー比を有する波形は同一の平均送信パワーに対してより大きい最大パワーを送信することである。それ故、より大きな線形範囲を有するパワー増幅器が必要とされ、これらの種類のパワー増幅器はさらに高価になる傾向がある。加えて、さらに大きい最大パワーはさらに多くの電流を必要とし、これは加入者装置の電池寿命を減少させる。したがって高いピーク対平均パワー比は加入者装置の電池寿命を減少させる。
【０００３】
ピーク対平均パワー比の減少の利点は電池寿命を長くすることなので、逆方向リンク信号のピーク対平均パワー比を減少することが望ましい。低いピーク対平均パワー比の別の利点はパワー増幅器の圧縮点からのバックオフを減少することであり、これは平均送信パワーまたは送信距離を大きくする。それぞれＡＭ／ＡＭ＆ＡＭ／ＰＭ非線形として知られるパワー増幅器の振幅および位相の非線形は相互変調歪みを生じ、パワー増幅器の圧縮点よりも非常に下の増幅器の動作を必要とする。パワー増幅器の１ｄＢ出力の圧縮点は利得が１ｄＢだけ出力信号利得から偏位する出力パワーレベルである。例えば１ｄＢ出力の圧縮点は、入力パワーでの１０ｄＢ増加が出力パワーでの９ｄＢ増加だけを生じる出力パワーレベルである。
【０００４】
減少されたピーク対平均パワー比は所定レベルの平均パワーでより大きい範囲（即ちより多くの平均出力パワー）および／または増加された電池寿命としてそれ自体明示される（ピークパワー送信はより多くの電流を使用する）。
【発明の開示】
【発明が解決しようとする課題】
【０００５】
ピーク対平均パワー比を減少する１つの簡単な方法は振幅および結果としてピーク対平均パワー比が幾つかの許容可能な最大レベルに限定されるように、信号をクリップする方法である。帯域幅の再成長またはクリッピングによる帯域外漏洩は無線システムで臨界的な問題である。帯域外の漏洩量は濾波要求および隣接するチャンネル干渉を決定する。
【０００６】
時間ドメインにおけるクリッピングは周波数ドメインの逆方向リンク送信波形のパワースペクトルで長方形パルスをコンボルブしている。それ故、クリッピングは多量の帯域内雑音と帯域外スプリアス放射を誘発し、結果として“TIA/EIA-98-D Recommended Minimum Standard for Dual-Mode Wideband Spread Spectrum Cellular Mobile Station”（IS-98 標準）に概要が記載されているスプリアス放射の要求に適合しない。
【０００７】
したがって、帯域内雑音と帯域外スプリアス放射を限定しながら逆方向リンク信号のピーク対平均パワー比を減少させる方法および装置が技術で必要とされている。
【課題を解決するための手段】
【０００８】
ここで開示する実施形態は逆方向リンク信号のピーク対平均パワー比を減少する必要性を解決する。逆方向リンク信号のピーク対平均パワー比の減少は加入者装置が適切に動作できるカバー範囲／距離および／または加入者装置の電池寿命を増加する。
【０００９】
１特徴では、装置はピーク対平均減少モジュールとパワー増幅器とを具備している。ピーク対平均減少モジュールはピークがターゲットしきい値以下に減少されるまで、あるいは減少関数が所定の回数適用されるまで減少関数を信号へ適用することによりターゲットのしきい値を超える信号のピークに応答して減少されたピーク対平均信号を生成するように構成されている。パワー増幅器は減少されたピーク対平均信号を増幅し、増幅された信号を生成するように構成されている。１つの特徴では、装置は加入者装置である。１つの特徴では、信号はＣＤＭＡ信号である。１つの特徴では、減少関数は反転された上昇余弦関数である。
【００１０】
１つの特徴では、装置はチャンネルデータを与えるように構成された逆方向リンク変調器と、この逆方向リンク変調器に結合されて、逆方向リンクチャンネル利得を計算するように構成されているチャンネル利得計算モジュールと、チャンネル利得計算モジュールに結合されて、逆方向リンクの独立したチャンネルの組合わせの平均パワーを計算するように構成されている平均化モジュールと、平均化モジュールに結合されて、ターゲットピーク対平均比と平均パワーを使用してエンベロープしきい値を生成するように構成されているしきい値モジュールと、このしきい値モジュールに結合されて、ピーク減少ウィンドウを波形ピークと整列して濾波されたサンプルと乗算するために使用されるウィンドウ加重を生成するように構成されているウィンドウ加重モジュールと、逆方向リンク変調器に結合されて、濾波されたサンプルを発生するためにチャンネルデータのｎ−チップ（ここでｎは整数）サンプルを濾波するように構成されているフィルタと、フィルタに結合されて減少されたピーク対平均パワー比を有する変更されたサンプルを生成するためにウィンドウ加重モジュールからのウィンドウ加重を使用して、整列されたピークウィンドウにより濾波されたサンプルとチップレートとをｎ回乗算するように構成されている乗算モジュールとを具備している。
【００１１】
１つの特徴では、信号処理方法は、信号のピークをターゲットしきい値と比較し、ピークがターゲットしきい値を超えているならば減少関数がターゲットしきい値以下になるまで減少関数をピークに適用して減少されたピーク対平均信号を生成し、減少関数が一度所定の回数適用されると減少関数の適用を終了するステップを含んでいる。
【発明を実施するための最良の形態】
【００１２】
用語“例示的”を“ここでは１例、例、または例示としての役目をする”ことだけを意味するために使用されている。“例示的”としてここで説明する任意の実施形態は必ずしも他の実施形態よりも好ましいまたは有効なものとして構成される必要はない。
【００１３】
（加入者局、移動局、移動体、遠隔局、遠隔端末、アクセス端末、ユーザ装置とも呼ばれる）加入者装置（ＳＵ）は移動または静止しており、（ベーストランシーバシステム（ＢＴＳとも呼ばれる）１以上の基地局（ＢＳ）、基地局トランシーバ、アクセス点、ノードＢ、モデムプールトランシーバ（ＭＰＴ）と通信する。
【００１４】
図１は複数のユーザをサポートし、本発明の種々の特徴を実行できる例示的な無線通信ネットワーク100 の図である。例示の目的で、例示的な実施形態はここではＣＤＭＡセルラ通信システムの文脈内で説明されている。しかしながら、本発明はパーソナル通信システム（ＰＣＳ）、無線ローカルループ、プライベートブランチエクスチェンジ（ＰＢＸ）またはその他の既知のシステム等の他のタイプの通信システムにも応用可能であることが理解されるべきである。さらに、ＴＤＭＡおよびＦＤＭＡおよびその他の拡散スペクトルシステム等の他のよく知られた多元アクセス方式を使用するシステムはここで説明する方法および装置を使用してもよい。
【００１５】
多元アクセス通信システムでのＣＤＭＡ技術の使用は米国特許第4,901,307 号明細書（発明の名称“SPREAD SPECTRUM MULTIPLE ACCESS COMMUNICATION SYSTEM USING SATELLITE OR TERRESTRIAL REPEATERS ”）と、米国特許第5,103,459 号明細書（発明の名称“SYSTEM AND METHOD FOR GENERATING WAVEFORMS IN A CDMA CELLULAR TELEPHONE SYSTEM”）に開示されており、両者は本発明の出願人に譲渡され、ここで参考文献としている。
【００１６】
無線通信ネットワーク100 は通常、複数の加入者装置102A−102D、複数の基地局104A−104C、（無線ネットワーク制御装置またはパケット制御機能とも呼ばれる）基地局制御装置（ＢＳＣ）106 、移動局制御装置（ＭＳＣ）またはスイッチ108 、パケットデータサービングノード（ＰＤＳＮ）またはインターネットワーキング機能（ＩＷＦ）110 、公共交換電話網（ＰＳＴＮ）112 （典型的に電話会社）、パケットネットワーク114 （典型的にインターネット）を含んでいる。簡単にする目的で、４つの加入者装置102A−102D、３つの基地局104A−104C、１つのＢＳＣ106 、１つのＭＳＣ108 、１つのＰＤＳＮ110 がＰＳＴＮ112 およびＩＰネットワーク114 と共に示されている。任意の数の加入者装置102 、基地局104 、ＢＳＣ106 、ＭＳＣ108 、ＰＤＳＮ110 が無線通信ネットワーク100 中に存在してもよいことが当業者により理解されるであろう。
【００１７】
無線通信ネットワーク100 は多数のセルの通信を行い、各セルは対応する基地局104 によりサービスされる。種々の加入者装置102 はシステム全体を通して分散されている。情報信号が加入者装置102 から基地局104 へ伝送するときに通る無線通信チャンネルは逆方向リンクとして知られている。情報信号が基地局104 から加入者装置102 へ伝送するときに通る無線通信チャンネルは順方向リンクとして知られている。各加入者装置102 は、加入者装置がソフトハンドオフであるか否かに基づいて任意の特定の瞬間に順方向リンクおよび逆方向リンクで１以上の基地局104 と通信する。
【００１８】
図１に示されているように、基地局104Aは加入者装置102Aと102Bと通信し、基地局104Bは加入者装置102Cと通信し、基地局104Cは加入者装置102Cおよび102Dと通信する。加入者装置102Cはソフトハンドオフ中であり、同時に基地局104Bおよび104Cと通信する。
【００１９】
無線通信ネットワーク100 では、ＢＳＣ106 は基地局104 へ結合し、さらにＰＳＴＮ112 へ結合してもよい。ＰＳＴＮ112 への結合は典型的にＭＳＣ108 を介して実現される。ＢＳＣ106 はそれに結合されている基地局の調整と制御を行う。ＢＳＣ106 はさらに基地局104 を介して加入者装置102 間と、加入者装置102 と、ＰＳＴＮ（例えば通常の電話機）112 およびパケットネットワーク114 との間に結合するユーザの電話呼の制御およびルート設定を行う。
【００２０】
１実施形態では、無線通信ネットワーク100 はパケットデータサービスネットワークである。１実施形態では、ＢＳＣ106 はＰＤＳＮ110 によりパケットネットワークへ結合される。インターネットプロトコル（ＩＰ）ネットワークはＰＤＳＮ110 によりＢＳＣ106 に結合されることができるパケットネットワークの１例である。１実施形態では、ＢＳＣ106 からＰＤＳＮ110 への結合はＭＳＣ108 を介して実現される。
【００２１】
１実施形態では、ＩＰネットワーク114 はＰＤＳＮ110 に結合され、ＰＤＳＮ110 はＭＳＣ108 に結合され、ＭＳＣ108 はＢＳＣ106 とＰＳＴＮ112 に結合され、ＢＳＣ106 は例えばＥ１、Ｔ１、非同期転送モード（ＡＴＭ）、ＩＰ、ＰＰＰ、フレームリレイ、ＨＤＳＬ、ＡＤＳＬまたはｘＤＳＬを含む任意の幾つかの既知のプロトコルにしたがって音声および／またはデータパケットの送信用に構成されているワイヤラインにより基地局104A−104Cに結合されている。１実施形態では、加入者装置102A−102DはＲＦインターフェースによって基地局104A−104Cと通信する。
【００２２】
加入者装置102A−102Dは１以上の無線パケットデータプロトコルを実行するように有効に構成されている。１実施形態では、加入者装置102A−102DはＩＰネットワーク114 を目的地とするＩＰパケットを発生し、ポイントツーポイントプロトコル（ＰＰＰ）を使用してＩＰパケットをフレームへカプセル化する。
【００２３】
加入者装置102A−102Dはポータブル電話、ラップトップコンピュータが動作するＩＰベースのウェブブラウザアプリケーションに接続するセルラ電話機、関連するハンドフリーカーキットを有するセルラ電話機、パーソナルデジタルアシスタント（ＰＤＡ）が動作するＩＰベースのウェブブラウザアプリケーション、ポータブルコンピュータに一体化される無線通信モジュール、またはワイヤレスローカルループ或いはメートル読取りシステムで見られるような固定した位置通信モジュール等の複数の異なるタイプの無線通信装置であってもよい。最も一般的な実施形態では、加入者装置は任意のタイプの通信装置であってもよい。
【００２４】
無線通信ネットワーク100 の典型的な動作中、基地局104A−104Cは電話呼、ウェブブラウジング、または他のデータ通信に従事する種々の加入者装置102A−102Dから逆方向リンク信号のセットを受信して復調する。所定の基地局104A−104Cにより受信された各逆方向リンク信号は基地局104A−104C内で処理される。各基地局104A−104Cは順方向リンク信号のセットを変調して加入者装置102A−102Dへ送信することにより複数の加入者装置102A−102Dと通信する。例えば図１に示されているように、基地局104Aは同時に加入者装置102Aと102Bと通信し、基地局104Cは同時に加入者装置102Cと102Dと通信する。結果的なパケットはＢＳＣ106 へ転送され、ＢＳＣ106 は呼のリソース割当てと、発信する基地局104A−104Cから目的地基地局104A−104Cまで特定の加入者装置102C−102Dの呼のソフトハンドオフの調整を含んでいる移動管理機能とを行う。結果として、加入者装置102Cが基地局104Cから十分離れた距離に移動するとき、呼は別の基地局へハンドオフされる。加入者装置102Cが基地局104Bに十分近付くように移動するならば、呼はその基地局104Bへハンドオフされる。
【００２５】
送信が通常の電話呼であるならば、ＢＳＣ106 は受信されたデータをＭＳＣ108 へ伝送し、ＭＳＣ108 はＰＳＴＮ112 とインターフェースするための付加的なルート設定サービスを行う。送信がＩＰネットワーク114 を目的地とするデータ呼等のパケットベースの送信であるならば、ＭＳＣ108 はデータパケットをＰＤＳＮ110 へ伝送し、ＰＤＳＮ110 はパケットをＩＰネットワーク114 へ送信する。代わりにＢＳＣ106 はパケットを直接ＰＤＳＮ110 へ伝送し、ＰＤＳＮ110 はパケットをＩＰネットワーク114 へ送信する。
【００２６】
システム100 は（１）“TIA/EIA-95-B Mobile Station-Base Station Compatibility Standard for Dual-Mode Wideband Spread Spectrum Cellular System”（IS-95 標準）、（２）“3rd Generation Partnership Project”（３ＧＰＰ）という名称の協会により提案され、文献番号3G TS 25.211、3G TS 25.212、3G TS 25.213、3G TS 25.214を含む文書セットで実施された文献（Ｗ−ＣＤＭＡ標準）、（３）“3rd Generation Partnership Project2 ”（３ＧＰＰ２）という名称の協会により提案され、文献番号C.S0002-A 、C.S0005-A 、C.S0010-A 、C.S0011-A 、C.S0024 、C.S0026 、C.P9011 、C.P9012 を含む文書セットで実施された文献（ｃｄｍａ２０００標準）等の１以上のＣＤＭＡ標準をサポートするように設計されている。3GPPと3GPP2 文献の場合、これらは世界規模の標準組織（例えばＴＩＡ、ＥＴＳＩ、ＡＲＩＢ、ＴＴＡ、ＣＷＴＳ）により地域的な標準に変更され、国際電気通信連合（ＩＴＵ）により国際標準に変更される。これらの標準はここで参考文献とされる。
【００２７】
図２は本発明の種々の特徴を実行できる加入者装置102 と基地局104 の実施形態の簡単なブロック図である。特定の通信では、音声データ、パケットデータおよび／またはメッセージは加入者装置102 と基地局104 との間で交換される。種々のタイプのメッセージは基地局104 と加入者局102 との間に通信セッションを設定するために使用され、メッセージはデータ送信（例えばパワー制御、データレート情報、承認等）を制御することに使用される。
【００２８】
逆方向リンクでは、加入者装置102 において（例えばデータソース210 からの）音声および／またはパケットデータ、および（例えば制御装置230 からの）メッセージは送信（ＴＸ）データプロセッサ212 へ与えられ、送信（ＴＸ）データプロセッサ212 はコード化されたデータを発生するため１以上のコード化方式によりデータおよびメッセージをフォーマットし符号化する。送信データプロセッサ212 は１以上のコード化方式を実行するコード発生器を含んでいる。コード発生器の出力デジットは通常チップと呼ばれる。チップは単一の２進デジットである。したがってチップはコード発生器の出力デジットである。
【００２９】
各コード化方式は巡回冗長チェック（ＣＲＣ）、コンボリューション、ターボ、ブロック、他のコード化の任意の組合わせを含んでいるか、コード化は全く含まない。典型的に音響データ、パケットデータ、メッセージは異なる方式を使用してコード化され、異なるタイプのメッセージは異なってコード化されてもよい。
【００３０】
コード化されたデータはその後、変調器（ＭＯＤ）214 へ与えられ、さらに処理される（例えばカバーされ、短いＰＮシーケンスで拡散され、ユーザ端末に割当てられた長いＰＮシーケンスでスクランブルされる）。１実施形態では、コード化されたデータはウォルシュコードでカバーされ、長いＰＮコードで拡散され、さらに短いＰＮコードで拡散される。拡散データはその後送信機（ＴＭＴＲ）216 へ与えられ、逆方向リンク信号を発生するために調整される（例えば１以上のアナログ信号に変換され、増幅され、濾波され、直角変調される）。送信機216 は１以上のアナログ信号を増幅するパワー増幅器316 を含んでいる。逆方向リンク信号はデュプレクサ（Ｄ）218 を通して伝送され、アンテナ220 により基地局104 へ送信される。
【００３１】
逆方向リンク信号の送信は送信時間と呼ばれる時間期間にわたって行われる。送信時間は時間単位に区分される。１実施形態では送信時間はフレームに区分されてもよい。別の実施形態では送信時間はタイムスロットに区分されてもよい。タイムスロットは時間の期間である。１実施形態によれば、データはデータパケットに区分され、各データパケットは１以上の時間単位にわたって送信される。各時間単位で、基地局は任意の加入者装置へ直接的にデータを送信でき、加入者装置は基地局と通信している。１実施形態では、フレームはさらに複数のタイムスロットへ区分される。さらに別の実施形態では、タイムスロットはさらに区分されてもよい。例えばタイムスロットは半スロットと４分の１スロットに区分されてもよい。
【００３２】
１実施形態では、変調器214 は逆方向リンク信号のピーク対平均パワー比を減少するピーク対平均減少モジュールを含んでいる。変調器214 内で、ピーク対平均減少モジュールは拡散データの濾波後の位置に配置される。別の実施形態ではピーク対平均減少モジュールは送信機216 内に位置される。さらに別の実施形態では、ピーク対平均減少モジュールは変調器214 と送信機216 との間に位置される。
【００３３】
基地局104 において、逆方向リンク信号はアンテナ250 により受信され、デュプレクサ252 を通して伝送され、受信機（ＲＣＶＲ）254 に与えられ、この受信機254 は受信された信号を調整し（例えば濾波、増幅、下方変換、デジタル化）、サンプルを与える。復調器（ＤＥＭＯＤ）256 は再生されたシンボルを与えるためにサンプルを受信し処理（例えばデスプレッド、デカバー、パイロット復調）する。復調器256 は受信された信号の多インスタンスを処理し、結合されたシンボルを発生するレイク受信機を構成してもよい。受信（ＲＸ）データプロセッサ258 はその後、逆方向リンクで送信されたデータとメッセージを再生するためにシンボルを復号する。再生された音響／パケットデータはデータシンク260 へ提供され、再生されたメッセージは制御装置270 へ提供される。復調器256 とＲＸデータプロセッサ258 による処理は加入者装置102 で行われる処理に対して相補的である。復調器256 とＲＸデータプロセッサ258 はさらに多チャンネル、例えば逆方向基本チャンネル（Ｒ−ＦＣＨ）と逆方向補助チャンネル（Ｒ−ＳＣＨ）により受信された多数の送信を処理するように動作される。また、送信は多数の加入者装置102 から同時に受信され、各加入者装置102 は逆方向基本チャンネル、逆方向補助チャンネルまたはその両者で送信される。
【００３４】
順方向リンクでは、基地局104 で、（例えばデータソース262 からの）音声および／またはパケットデータと（例えば制御装置270 からの）メッセージは送信（ＴＸ）データプロセッサ264 により処理され（例えばフォーマット化され符号化され）、またはさらに変調器（ＭＯＤ）266 により処理され（例えばカバーされ拡散され）、順方向リンク信号を発生するために送信機（ＴＭＴＲ）268 により調整される（例えばアナログ信号に変換され、増幅され、濾波され、直角変調される）。順方向リンク信号はデュプレクサ252 を通って伝送され、アンテナ250 により加入者装置102 へ送信される。
【００３５】
加入者装置102 では、順方向リンク信号はアンテナ220 により受信され、デュプレクサ218 を通して伝送され、受信機222 へ与えられる。受信機222 は受信された信号を調整し（例えば下方変換し、濾波し、増幅し、直角変調し、デジタル化し）サンプルを与える。サンプルはシンボルを与えるため復調器224 により処理され（例えばデスプレッドされ、デカバーされ、パイロット復調され）、シンボルはさらに順方向リンクで送信されるデータおよびメッセージを再生するために受信データプロセッサ226 により処理される（例えば復号されチェックされる）。再生されたデータはデータシンク228 へ提供され、再生されたメッセージは制御装置230 へ与えられる。
【００３６】
図３は例示的なＣＤＭＡ信号300 を示している。垂直軸はＣＤＭＡ信号の振幅をボルトで表しており、水平軸は時間を表している。破線はゼロ電圧点より上の最大の正の信号電圧（＋Ｖｍａｘ）とゼロ電圧点より下の負の最大の信号電圧（−Ｖｍａｘ）を表している。ＣＤＭＡ信号300 はＶｍａｘ電圧より上および下に“ピーク”を有する。ピークは図３では陰影を付けられている。ピーク対平均減少モジュールはＣＤＭＡ信号300 のピークを除去または減少させる。
【００３７】
ＣＤＭＡ信号300 はランダムシーケンスでそれぞれ符号化される多数の個々のユーザ信号を含んでいる。多数のユーザとランダムシーケンスの結果は他の通信信号では典型的に存在しないピークである。クリッピングなしにこれらのピークを送信するため、（パワー増幅器316 の前に使用される）Ｄ／Ａ変換器がピークを適合するのに十分なビットをもたなければならないだけでなく、パワー増幅器316 はピーク振幅を含む振幅範囲にわたって線形を維持しなければならない。
【００３８】
図４はＣＤＭＡ信号の増幅に使用される典型的なパワー増幅器316 の動作特性を示している。例えばパワー増幅器は送信機216 にある。水平軸は入力信号パワー（ＰIN）を表し、垂直軸は出力信号パワー（ＰOUT）を表している。ＰINが最大のパワーレベル（ＰMAX）よりも下であるならば、パワー増幅器316 はＰINの増加が線形領域402 に示されているようにＰOUTの比例した増加に一致する線形方法で動作する。ＰINがＰMAXを超えるならば、パワー増幅器316 はＰINの増加がＰOUTの比例増加に一致しない非線形方法で動作する。ＰOUTは非線形動作範囲においては理想よりも小さい。線404 は理想的な線形直線を示している。線406 はパワー増幅器316 の非線形領域を表している実際の曲線を示している。
【００３９】
ＰMAXは（１）最悪のケースのチャンネル構造、（２）帯域内対帯域外信号パワー比、温度、（即ちコールドスタート中は低い）、ビットエネルギ対干渉および雑音比Ｅb／Ｉo、（３）波形忠実度の測定に使用されるＩＳ−９７産業標準Ｒｈｏ計量、および／または（４）他の適切な計量等の種々の要素に基づいて設定されることができる。ＰMAXは性能を最適にするため、所望の計量の進行中の測定と、ＰMAXの対応する調節に基づいてシステム動作中に調節されることができる。
【００４０】
図３および図４を共に参照すると、図３のＶMAX電圧レベルは図４のＰMAXに対応することに注意すべきである。したがって、＋Ｖｍａｘを超えるピークと−Ｖｍａｘを下回るピークはＰMAXを超えてパワー増幅器316 を非線形動作範囲へ駆動する。非線形範囲で動作するとき、パワー増幅器316 は減少した忠実度と増加した雑音の形態の不所望な性能を示す。ピーク対平均パワー減少は非線形範囲のパワー増幅器316 の動作を除去または減少させる。
【００４１】
図５はＣＤＭＡ信号300 の周波数特性を示している。垂直軸は信号パワーを表し、水平軸は周波数を表す。所望の“帯域内”信号パワー502 は中心周波数508 より上および下のコーナー周波数504 、506 により規定されている帯域幅503 内に含まれる。コーナー周波数504 は中心周波数508 より上であり、コーナー周波数506 は中心周波数508 より下である。例示的な帯域幅は中心周波数を中心とする１．２５ＭＨｚの帯域幅である。信号パワーは帯域外では非常に降下するが、幾つかの不所望な“帯域外”信号パワーは依然として存在し、図５で陰影を付けられている。帯域外信号パワーは近隣の周波数帯域の他の信号と干渉する浪費パワーを表すので望ましくない。パワー増幅器316 は非線形範囲で動作するとき大きな帯域外信号パワーを発生する。図５の陰影を付けられた帯域外パワーより上の破線はピーク対平均パワー減少が使用されないときに発生される増加された帯域外信号パワーを表している。
【００４２】
図３−５を共に参照するとき、図３のＣＤＭＡ信号ピークは図４のＰMAXを超えてパワー増幅器316 を駆動し、パワー増幅器316 に図５の破線により示されている不所望な帯域外信号パワーを発生させることが認識されることができる。ピーク対平均減少モジュールはＣＤＭＡ信号ピークおよび対応する帯域外信号パワーを図５の陰影区域へを減少する。この減少は典型的に高いパワーレベルでパワー増幅器316 を動作することによりオフセットされる。有効に、パワー増幅器316 は高いパワーレベルでより大きい範囲または容量を有するが、許容できない程の帯域外信号パワーを発生しない。
【００４３】
図６はパワー増幅器316 のバックオフのグラフである。水平軸はｄＢにおける入力パワーであり、垂直軸はｄＢにおける出力パワーである。線604 は入力パワーの増加が出力パワーの増加と一致する理想的な線形直線を示している。しかしながら、線606 はパワー増幅器316 の非線形領域を示す実線であり、ここでは入力パワーの増加は出力パワーの対応する増加と一致しない。点608 はパワー増幅器316 の線形領域を示している。入力パワーの限界の増加は出力パワーの等しい増加と一致する。点608 から点610 へ入力パワーが増加するとき、出力パワーの増加は（長さ612 で示されているように）入力パワーの増加よりも１ｄＢ低い。点610 はパワー増幅器316 の１ｄＢ圧縮点である。減少されたピーク対平均パワー比アルゴリズムが逆方向リンク信号に適用されるとき、圧縮点610 は点608 にバックオフされる。入力バックオフは入力パワーの量の減少であり、出力バックオフは出力パワーの減少である。
【００４４】
図７は１実施形態にしたがったピーク対平均減少モジュール800 の簡単なブロック図である。ピーク対平均減少モジュール800 は逆方向リンク信号のピーク対平均パワー比を減少するベースバンド構造として構成されてもよい。ピーク対平均減少モジュール800 はピークウィンドウ化を使用して信号歪み技術を実行する。この技術はパワー増幅器816 の歪みの幾つかのマージンを有するＩＳ−９８標準とｃｄｍａ２０００標準で概要を示されているスプリアス放射要求を有効に満たす。ｒｈｏ仕様は最大の実現可能な信号対雑音比（ＳＮＲ）を支配する。ｒｈｏは信号品質の尺度である。
【００４５】
１実施形態では、非長方形のウィンドウは信号に歪みを与えるために使用される。ウィンドウは信号エンベロープと所望のピーク対平均パワー比との相対的な差の関数であるピーク減少を有する反転される上昇余弦である。この技術はその最大値がウィンドウサイズに等しい遅延を導入する。信号エンベロープは信号の大きさである。
【００４６】
１実施形態では、ベースバンド構造800 は変調器214 内に位置される。別の実施形態では、ベースバンド構造800 は変調器214 と送信機216 との間に位置される。さらに別の実施形態では、ベースバンド構造800 はパワー増幅器816 の前に配置された送信機216 に位置される。
【００４７】
逆方向リンク変調器802 はチャンネルデータをチャンネル利得計算モジュール804 へ提供する。チャンネル利得計算モジュール804 は任意の所定の構造の逆方向リンクチャンネルの利得を計算する。構造は逆方向リンク上の独立したチャンネルの組合わせである。例えばそれぞれ独立したウォルシュコードでカバーされている４つの逆方向リンクチャンネルを有する構造では、チャンネル利得計算モジュール804 は全ての４つの逆方向リンクチャンネルをスケールする。したがって、パイロットチャンネル、データリクエスト（ＤＲＣ）チャンネル、承認（ＡＣＫ）チャンネル、トラフィックチャンネルを有するｃｄｍａ２０００システムでは、チャンネル利得計算モジュール804 は１実施形態にしたがってパイロットチャンネル、ＤＲＣチャンネル、ＡＣＫチャンネル、トラフィックチャンネルに対する利得を計算する。任意のデータチャンネルはチャンネル利得計算モジュール804 によりスケールされてもよいことが当業者には明白であろう。
【００４８】
１実施形態では、平均化モジュール806 は逆方向リンク構造に基づいてｄＢで次の半スロットの平均パワーＰavを計算する。しきい値モジュール808 はその入力としてターゲットピーク対平均パワー比を取り、これはｄＢによる所望のピーク対平均パワー比であり、ターゲットのピーク対平均パワー比と平均パワーＰavを使用してエンベロープしきい値を発生する。ウィンドウ加重モジュール810 はウィンドウをピークと整列し、濾波されたサンプルの乗算に使用されるための実際のウィンドウ加重を発生する。
【００４９】
パルス成形フィルタ812 は逆方向リンク変調器802 からのサンプルをチップレートｎ（ｎは典型的な整数）で連続的に濾波する。１実施形態では、パルス成形フィルタ812 は有限インパルス応答（ＦＩＲ）フィルタである。フィルタ812 はチップレートの多ｍサンプルレート（ｍは典型的な整数）で出力サンプルを発生するためにその入力、即ちチャンネルデータのｎチップサンプルをアップサンプルする。例えば、チップレートが４であり、フィルタ812 が６のサンプルレートでアップサンプルする場合には、フィルタの出力サンプルは期間が２４チップである。
【００５０】
ピークウィンドウ化アルゴリズムを使用する乗算モジュール814 は濾波されたサンプル、即ちフィルタ812 からの出力サンプルを、ウィンドウ加重モジュール810 からの実際のウィンドウ加重を使用して整列されたピークウィンドウにより乗算し、変更されたサンプルを生成する。ピークウィンドウ化アルゴリズムはフィルタ812 の出力サンプルに適用される。
【００５１】
１実施形態では、フィルタ812 はチップレートの４倍（チップ×４）である出力サンプルを生成するためにチップレートの４倍でその入力をアンサンプルする。１実施形態では、整列されたピークウィンドウは幅がｗ（ここでｗは整数）チップ×４サンプルである。整列されたピークウィンドウは例えば幅が１、２、４、８または１６チップ×４サンプル幅である。変数“ｗ”は理論上任意の整数であり（与えられた応用では合理的）、２の累乗に限定されない。
【００５２】
ターゲットのピーク対平均パワー比に到達するならば、逆方向リンク信号は送信機216 内のパワー増幅器に送られる。変更されたサンプルが所望のピーク対平均パワー比よりも大きいピーク対平均パワー比を有するならば、ピークウィンドウ化アルゴリズムが再度適用される。１実施形態ではピークウィンドウ化アルゴリズムは所定のウィンドウ内のサンプルに再度適用される。別の実施形態では、ピークウィンドウ化アルゴリズムは隣接するウィンドウのサンプルに再度適用される。ピークウィンドウ化アルゴリズムはターゲットのピーク対平均パワー比またはそれよりも低い比が実現されるまで、または最大の反復数に到達するまで再度適用される。
【００５３】
１実施形態では、平均信号パワーはＨＤＲ（１×ＥＶＤＯ）の場合に半スロット境界で変化し、結果として予めＴＸデータプロセッサ212 により知られている。同様に別の実施形態では、１×−音声（ｃｄｍａ２０００）では、平均パワーはフレーム境界において変化する。それ故平均パワーは逆方向リンク信号の送信前に知られ、個々のサンプルの二乗された大きさと比較するために使用されることができる。ｃｄｍａ２０００（１×ＥＶ）の実施形態では、利得は半スロット毎に変化する。平均信号パワーは任意の境界において変化できることが当業者により理解されよう。
【００５４】
ピーク対平均減少モジュール800 は逆方向リンク信号のピーク対平均パワー比を減少するためピークウィンドウ化を使用する。ピーク対平均減少モジュール800 は逆方向リンク信号のウィンドウを処理する。１実施形態では、ウィンドウ内で最大のエンベロープを有するピークが減少される。
【００５５】
１実施形態では、ウィンドウは反転される上昇余弦ウィンドウである。１実施形態では、反転される上昇余弦ウィンドウは１−ａ（ｃｏｓ2ｘ）であり、ここでステップサイズのｘ＝（−（π／２）＋（π／ｗ），（π／２））はπ／ｗに等しく、“ｗ”はウィンドウの長さ、即ちウィンドウサイズである。ウィンドウは“ｗ”サンプルの長さである。
【００５６】
１実施形態では、ピーク対平均減少モジュール800 により実行されるパワー減少アルゴリズムは６つの基本ステップを含んでいる。ステップ１では、ターゲットのピーク対平均（ｄＢ）Ｐtargetが選択される。ステップ２では、逆方向リンク構造に基づいた平均パワーＰavが計算される。ステップ３では、ステップ４と５が“ｗ”サンプル毎に反復される。ステップ４と５では、現在の“ｗ”サンプルに対するベースバンドＩＱサンプルは変更されたエンベロープに基づいて変更される。
【００５７】
ステップ４では、“ウィンドウ サイズ”Ｐhs maxに対する最大ピーク対半スロット平均が計算され、Ｅavは平均パワーＰavに対応する平均エンベロープ値である。Ｅavは平均パワーＰavを使用して計算される。Ｅhs maxは最大のピーク対半スロット平均Ｐhs maxに対応するエンベロープ値である。Ｅhs maxは最大のピーク対半スロット平均Ｐhs maxを使用して計算される。
【００５８】
Ｐcurrent maxとＥcurrent maxはそれぞれ現在の“ｗ”サンプルの最大のピーク対平均パワー比と最大のエンベロープである。
【００５９】
ステップ５では、最大のピーク対平均パワー比がターゲットのピーク対平均パワー比よりも大きいならば、即ち（（Ｐcurrent max＞Ｐtarget）であるならば）パワー減少関数Ｐrednは反転される上昇余弦として計算される。
【００６０】
１実施形態では、Ｐrednは１−ａ（ｃｏｓ2ｘ）であり、
ここでａ＝（（Ｅcurrent max−Ｅav）／Ｅcurrent max）である。係数“ａ”はパワー減少関数をスケールする。係数“ａ”は現在の“ｗ”サンプルと平均パワーに対するエンベロープ値との間の差に基づいてパワー減少関数の大きさを与える。パワー減少関数Ｐrednはパワー減少アルゴリズムにより処理される現在の“ｗ”サンプルのピーク減少関数である。
【００６１】
Ｅmodは現在の“ｗ”サンプルの事後のピーク対平均減少に対する変更されたエンベロープである。変更されたエンベロープＥmodは最大のエンベロープＥcurrent maxとパワー減少関数Ｐrednの積である（Ｅmod＝Ｅcurrent max・Ｐredn）。
【００６２】
ステップ６では、サンプルが所望のターゲットピークを超えるピークを有するサンプルがなくなるまで、ステップ４と５が反復される。したがってピーク減少関数を通る倍数の通過は所望のターゲットピーク対平均パワーピーク比が実現されるまで実行される。
【００６３】
図８は１実施形態にしたがったピークウィンドウ処理のフローチャートを示している。ピーク減少は、最大の減少がエンベロープが（ターゲットのピーク対平均パワー比により決定される）最も所望されるエンベロープに関して最も偏差する結果を生じるようなチップについてであるように行われる。
【００６４】
ステップ902 では、ｄＢにおけるターゲットのピーク対平均パワー比Ｐtargetが選択される。次の半スロットで送信するチャンネルの決定は半スロットの開始よりも前に行われるので、（選択された構造に基づいて）送信される平均パワーは１実施形態にしたがって送信データプロセッサ212 内の加入者装置のデジタル信号プロセッサによりこのときに知られる。ステップ904 では、次の半スロットで、各チャンネルの逆方向リンクチャンネル利得が計算される。
【００６５】
ステップ906 では、次のスロットの平均パワーＰavとＰavに対応するエンベロープ値Ｅavが計算される。平均パワーＰavは逆方向リンク構造に基づいて計算される。Ｐavはトラフィック対パイロット比、ＤＲＣ対パイロット比、承認対パイロット比、パイロットパワー、および半スロット当たりのトラフィックチャンネルとチャンネルパイロットチャンネルと承認チャンネルとデータリクエストチャンネルからのチップ数を使用して計算される。エンベロープ値Ｅavは平均パワーＰavを使用して計算される。
【００６６】
ステップ908 では、半スロットにさらにサンプルが存在するか否かを決定する試験が行われる。半スロットにこれ以上サンプルが存在しないならば、ステップ909 で、サンプルはパワー増幅器816 へ与えられ、制御フローはステップ904 へ進む。半スロット中にさらにサンプルが存在するならば、別のウィンドウがステップ910 で選択される。ステップ912 で、Ｐcurrent maxとＥcurrentが計算される。Ｐcurrent maxとＥcurrent maxはそれぞれ現在の“ｗ”サンプルに対するピーク対平均パワー比と、最大のエンベロープ値である。ステップ913 では、ピークウィンドウ化の反復数Ｎpがピークウィンドウ化の最大の反復数Ｎmよりも小さいか否かを決定するチェックが行われる。ピークウィンドウ化の反復数がピークウィンドウ化の最大の反復数よりも小さくないならば、制御のフローはステップ908 へ進む。ピークウィンドウ化の反復数がピークウィンドウ化の最大の反復数よりも小さいならば、ステップ914 で、Ｐcurrent maxはＰtargetと比較される。Ｐcurrent maxは現在のｗサンプルの最大のピーク対平均パワー比である。Ｐcurrent maxがＰtargetよりも大きくないならば、制御のフローはステップ908 へ進む。Ｐcurrent maxがＰtargetよりも大きいならば、反転される上昇余弦係数は次式にしたがってステップ916 で計算される。
ａ＝（（Ｅcurrent max−Ｅav）／Ｅcurrent max）
ステップ918 で、ピーク減少関数Ｐrednが計算される。Ｐrednは現在のｗサンプルのピーク減少関数であり、１−ａ（ｃｏｓ2ｘ）に設定される。ステップ920 では、現在の“ｗ”サンプルの事後ピーク対平均減少の変更されたエンベロープＥmodが計算される。ＥmodはＥcurrent×Ｐrednに設定される。Ｅmodは現在のサンプルＥcurrentとピーク減少ウィンドウＰrednのサンプル×サンプルの乗算である。
【００６７】
現在の半スロットにサンプルが存在しないときにのみ、制御フローはステップ909 へ進み、サンプルは送信機216 のパワー増幅器316 へ与えられる。サンプルは送信機216 のパワー増幅器316 へ連続して与えられる。
【００６８】
ステップ920 で、ウィンドウ中の任意のサンプルが所望のターゲットピークを超えたピークを有するか否かを決定するためのチェックが行われる。したがってピーク減少関数の倍数の通過は所望のターゲットピーク対平均パワー比が実現されるまで実行される。現在のサンプルピークが所望のターゲットピークを超えるならば、制御のフローはｗサンプルの次のセットへ進み、即ちＮはステップ924 で段階的に増加され、制御フローは908 へ進む。現在のサンプルピークが所望のターゲットピーク以下であるならば、ピークウィンドウ化アルゴリズムは終了する。結果的なサンプルは送信機216 のパワー増幅器316 へ与えられる。
【００６９】
方法ステップは本発明の技術的範囲から逸脱せずに交換されることができる。実施形態はタイムスロットを使用するが、この革新の考察はピークウィンドウ化アルゴリズムがタイムスロット処理され、したがってシステムに応用可能であることを必要とせず、スロット処理されないことに注意されるべきである。
【００７０】
当業者は情報および信号が任意の種々の異なる技術を使用して表されてもよいことを理解するであろう。例えば前述の説明を通して参照されたデータ、命令、コマンド、情報、信号、ビット、シンボル、チップが電圧、電流、電磁波、磁界または粒子、光フィールドまたは粒子或いは任意のその組合わせにより表されてもよい。
【００７１】
当業者はさらにここで説明した実施形態を伴って説明した種々の図示の論理ブロック、モジュール、回路、アルゴリズムステップが電子ハードウェア、コンピュータソフトウェア、またはその両者の組合わせとして実行されてもよいことを認識するであろう。
【００７２】
ハードウェアとソフトウェアの交換性、種々の図示のコンポーネント、ブロック、モジュール、回路、ステップをそれらの機能に関して前述した。このような機能がハードウェアまたはソフトウェアのいずれとして実行されるかは特定の応用とシステム全体に課された設計の制約に基づいている。当業者は各特定の応用で可変の方法により説明した機能を実行してもよいが、このような実行の決定は本発明の技術的範囲を逸脱するものと解釈されてはならない。
【００７３】
ここで説明した実施形態を伴って説明した種々の図示の論理ブロック、モジュール、回路は汎用目的のプロセッサ、デジタル信号プロセッサ（ＤＳＰ）または他のプロセッサ、特定用途向け集積回路（ＡＳＩＣ）、フィールドプログラム可能なゲートアレイ（ＦＰＧＡ）または他のプログラム可能な論理装置、ディスクリートなゲートまたはトランジスタ論理装置、ディスクリートなハードウェアコンポーネント、或いはここで説明した機能を実行するように設計されている任意のその組合わせにより構成または実行されてもよい。プロセッサはマイクロプロセッサであってもよいが、その代わりにプロセッサは任意の通常のプロセッサ、制御装置、マイクロ制御装置または状態マシーンであってもよい。またプロセッサはコンピュータ装置の組合わせ、即ちＤＳＰとマイクロプロセッサの組合わせ、複数のマイクロプロセッサ、ＤＳＰコアを伴った１以上のマイクロプロセッサ、或いは任意の他のこのような構造として構成されてもよい。
【００７４】
ここで説明した実施形態を伴って説明した方法またはアルゴリズムのステップは直接的にハードウェアで、プロセッサにより実行されるソフトウェアモジュールで、またはその２つの組合わせで実施されることができる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取出し可能なディスク、ＣＤ−ＲＯＭ、または技術で知られている任意の他の形態の記憶媒体中に位置していもよい。例示的な記憶媒体はプロセッサが情報を記憶媒体から読取り、その情報をそこへ書込むことができるようにプロセッサに結合されている。その代わりに、記憶媒体はプロセッサに一体化されてもよい。プロセッサおよび記憶媒体はＡＳＩＣに存在してもよい。ＡＳＩＣはユーザ端末に存在してもよい（恐らく先に広義に規定した）。その代わりに、プロセッサおよび記憶媒体はユーザ端末のディスクリートなコンポーネントとして存在してもよい。
【００７５】
説明した実施形態の先の説明により当業者は本発明を構成または使用することが可能になる。これらの実施形態に対する種々の変更は当業者に容易に明白であり、ここで規定した一般原理は本発明の技術的範囲を逸脱せずに他の実施形態に適用されてもよい。したがって、本発明はここで示した実施形態に限定されず、ここで説明した原理および優れた特性と一貫した最も広い範囲にしたがうことを意図している。
【図面の簡単な説明】
【００７６】
【図１】多数のユーザをサポートし、本発明の種々の特徴を実行できる例示的な無線通信ネットワークのブロック図。
【図２】本発明の種々の特徴を実行できる加入者装置と基地局の簡単なブロック図。
【図３】例示的なＣＤＭＡ信号を示す図。
【図４】ＣＤＭＡ信号の増幅に使用される典型的なパワー増幅器の動作特性図。
【図５】ＣＤＭＡ信号の周波数特性を示す図。
【図６】パワー増幅器のバックオフのグラフ。
【図７】１実施形態にしたがって逆方向リンク信号のピーク対平均パワー比を減少するためのピーク対平均減少モジュールの簡単なブロック図。
【図８】１実施形態にしたがったピークウィンドウ処理のフローチャート。
【図１】
2004527978.tif 000003
【図２】
2004527978.tif 000004
【図３】
2004527978.tif 000005
【図４】
2004527978.tif 000006
【図５】
2004527978.tif 000007
【図６】
2004527978.tif 000008
【図７】
2004527978.tif 000009
【図８】
2004527978.tif 000010
【国際公開パンフレット】
2004527978.tif 000011
2004527978.tif 000012
2004527978.tif 000013
2004527978.tif 000014
2004527978.tif 000015
2004527978.tif 000016
2004527978.tif 000017
2004527978.tif 000018
2004527978.tif 000019
2004527978.tif 000020
2004527978.tif 000021
2004527978.tif 000022
2004527978.tif 000023
2004527978.tif 000024
2004527978.tif 000025
2004527978.tif 000026
2004527978.tif 000027
2004527978.tif 000028
2004527978.tif 000029
2004527978.tif 000030
2004527978.tif 000031
2004527978.tif 000032
2004527978.tif 000033
2004527978.tif 000034
2004527978.tif 000035
2004527978.tif 000036
2004527978.tif 000037
2004527978.tif 000038
2004527978.tif 000039
2004527978.tif 000040
2004527978.tif 000041
2004527978.tif 000042
2004527978.tif 000043
2004527978.tif 000044
2004527978.tif 000045
【国際調査報告】
2004527978.tif 000046
2004527978.tif 000047